(57)【要約】【課題】重負荷による蓄電能力の低下を回避し、かつ電池寿命を延伸する電源システムを提供すること。【解決手段】整流器２と、鉛蓄電池セルを構成要素とする組電池３とを有する電源システムにおいて、整流器２は商用電源１から入力される交流電力を直流電力に変換して出力し、その出力によって負荷４への給電および組電池３の充電を行い、組電池３の充電電路と放電電路とが個別に配線され、充電電路にはダイオード５ｂが充電方向にのみ電力を通す向きに接続され、放電電路にはダイオード５ａが放電方向にのみ電力を通す向きに接続され、整流器２の出力と組電池３のダイオード５ａを介した出力とは、接続点６において並列接続され、商用電源１が有効であるときは、接続点６において、組電池３のダイオード５ａを介した出力電圧が整流器２の出力電圧より低くなることを特徴とする電源システムを構成する。【選択図】図１
2008301648.tif 000002
【特許請求の範囲】
【請求項１】
複数の電池を組み合わせてなる組電池と、交流電力を直流電力に変換して負荷への給電を行う整流器と、前記整流器が停止しているときは前記組電池が出力する電力が前記負荷へ供給される電源システムにおいて、
前記整流器から前記負荷への給電線に前記組電池が放電する放電電路が第１の接続点において並列接続され、
前記整流器が定格電流を出力しているときの、前記整流器から前記第１の接続点までの電圧降下を第１の電圧降下とし、
前記組電池から前記第１の接続点までの電圧降下の最小値を第２の電圧降下とするとき、
前記整流器出力電圧から前記第１の電圧降下を差し引いた電圧が、前記組電池電圧から前記第２の電圧降下を差し引いた電圧より大きいことを特徴とする電源システム。
【請求項２】
請求項１に記載の電源システムにおいて、
前記放電電路は、放電方向にのみ電力を通す第１のダイオードを有することを特徴とする電源システム。
【請求項３】
請求項１に記載の電源システムにおいて、
前記放電電路は、前記第１の接続点へ、前記整流器出力電圧から前記第１の電圧降下を差し引いた電圧よりも低い電圧の電力を出力する放電用ＤＣ／ＤＣコンバータを有することを特徴とする電源システム。
【請求項４】
請求項１、２または３に記載の電源システムにおいて、
前記電池は二次電池であり、
前記整流器は前記組電池の充電も行い、
前記整流器から前記負荷への給電線に前記組電池を充電する充電電路が第２の接続点において並列接続され、
前記充電電路は充電方向にのみ電力を通す第２のダイオードまたは充電用ＤＣ／ＤＣコンバータを有することを特徴とする電源システム。
【請求項５】
請求項１、２または３に記載の電源システムにおいて、
前記電池は二次電池であり、
交流電力を直流電力に変換する充電用整流器を具備し、前記充電用整流器が前記組電池の充電を行うことを特徴とする電源システム。
【請求項６】
請求項１、２または３に記載の電源システムにおいて、
前記電池は二次電池であることを特徴とする電源システム。
【請求項７】
請求項４、５または６に記載の電源システムにおいて、
前記二次電池は鉛蓄電池、ニッケル水素蓄電池またはリチウムイオン蓄電池であることを特徴とする電源システム。
【発明の詳細な説明】
【技術分野】
【０００１】
本発明は電源システムに関し、特に、直流電力を負荷へ供給する、電池を備えて停電時のバックアップとする電源システムに関する。
【背景技術】
【０００２】
一般に、直流負荷装置へ電力を供給する電源システムでは、商用交流電力を受け、直流４８Ｖなどの直流電力を出力する整流器が用いられている。さらに、商用電力が停電した場合でも負荷装置への給電を継続するために、整流器の出力に蓄電池を備えている。
【０００３】
蓄電池を直流電源システムに適用する場合には、通常、単セルと呼ばれる１本の蓄電池を複数個直列にしたものを１つ以上並列接続した組電池を用いる。
【０００４】
整流装置と蓄電池とを組み合わせた直流バックアップ電源システムを図４に示す。
【０００５】
図４において、商用電源１の交流電力は整流器２に供給され、整流器２は交流電力を所定の直流電力に変換して負荷４へ供給している。組電池３は、商用電源１が有効であるときは整流器２を介して充電され、商用電源１の停電により負荷への放電を行う。
【０００６】
下記特許文献１、２、３には、複数の組電池と、充電制御手段と、放電制御手段とを備えた電源装置が記載され、特許文献１には、組電池の製造日付に基づいて組電池使用可能期間を算出して組電池交換日付を表示することが記載され、特許文献２には、組電池の放電容量試験を実行する電池監視手段を設けることが記載され、特許文献３には、前記電池監視手段が組電池の残存容量を算出し、その結果に基づいて当該組電池の補充電時期を決定することが記載されている。
【特許文献１】特開２００４−１１９１１２号公報
【特許文献２】特開２００４−１２０８５６号公報
【特許文献３】特開２００４−１２０８５７号公報
【発明の開示】
【発明が解決しようとする課題】
【０００７】
図４の直流バックアップ電源システムを例に、整流器と組電池を組み合わせた電源システムの課題について説明する。整流器２は、商用電源１（交流電力）を直流電力へ変換し、その出力電圧は直流５１Ｖとする。組電池３は、鉛蓄電池セルを直列接続して構成したものである。商用電源１が有効であるとき、整流器２は、商用電源１からの交流電力を直流電力に変換し、それを負荷４へ供給しながら、その直流電力による組電池３の充電も行う。
【０００８】
整流器２から接続点６までの配線抵抗を１０ｍΩ（２本分）、接続点６から負荷４への配線抵抗を１０ｍΩ（２本分）、接続点６から組電池３までの配線抵抗を１０ｍΩ（２本分）とする。
【０００９】
上記の電源システムでは、負荷変動や重負荷により、下記に示すように、蓄電能力の低下や電池寿命の縮減といった問題が発生する。
【００１０】
＜重負荷による蓄電能力の低下の問題＞
負荷４の所要電流が１００Ａであるとき、接続点６から負荷４へ流れる電流は１００Ａであり、整流器２から接続点６へ流れる電流すなわち整流器２の出力電流は、負荷４へ供給する１００Ａに組電池３の充電電流を加算した値となる。組電池３の充電が終了すると、整流器２が出力する電流は負荷４が要求する１００Ａとなり、接続点６の電圧は５０Ｖ、負荷４への供給電圧は４９Ｖとなる。このとき、組電池３の電圧は５０Ｖである。
【００１１】
負荷４が停止しており電力が供給されていないとき、組電池３の充電が終了していると、整流器２は出力電流がほとんど無いため、組電池３の電圧は５１Ｖである。
【００１２】
このように、負荷４の所要電流が大きいことによって、組電池３の満充電電圧が低下する。このため、負荷が大きい場合、組電池の蓄電能力が低下するという問題がある。
【００１３】
＜負荷変動による電池寿命縮減の問題＞
負荷４が停止しており電力が供給されていないとき、組電池３の充電が終了していると整流器２は出力電流がほとんど無いため、組電池３の電圧は５１Ｖである。この後、負荷４が起動して整流器２が負荷４への電力供給を開始し、負荷４へ１００Ａを供給するとき、接続点６の電圧は５０Ｖ、負荷４への給電電圧は４９Ｖとなる。このとき、組電池３の電圧（５１Ｖ）は接続点６の電圧５０Ｖより高いため、負荷４への給電の一部は組電池３が担うことになり、組電池３は放電する。さらにこの後、負荷４の所要電流が低下して５０Ａになると、接続点６の電圧は５０．５Ｖとなるが、この電圧により組電池３は充電される。さらに負荷４が停止すると整流器２の出力電圧５１Ｖが組電池３の充電電圧となる。
【００１４】
このように、負荷が変動することによって、組電池３は充電と放電を繰り返すことになり、このような充放電サイクルの増加は電池寿命の縮減を招くという問題がある。
【００１５】
前記の、整流器が負荷への給電と電池の充電を行うことによって電池の蓄電能力が低下し、電池寿命を縮減するという問題は、鉛蓄電池システムの場合に限らず、ニッケル水素蓄電池やリチウムイオン電池などの二次電池を組み合わせてなる組電池を有するバックアップ電源システム、さらには、一次電池を含めて、複数の電池を組合わせてなる複数の組電池が出力する電力を負荷に供給する電池システムにおいても生じる問題である。
【００１６】
本発明は、前記の、整流器が負荷への給電と電池の充電を行うことによって電池の蓄電能力が低下し、電池寿命を縮減するという問題に鑑みてなされたものであり、本発明が解決しようとする課題は、重負荷による蓄電能力の低下を回避し、かつ電池寿命を延伸する電源システムを提供することにある。
【課題を解決するための手段】
【００１７】
前記課題を解決するために、本発明においては、請求項１に記載のように、
複数の電池を組み合わせてなる組電池と、交流電力を直流電力に変換して負荷への給電を行う整流器と、前記整流器が停止しているときは前記組電池が出力する電力が前記負荷へ供給される電源システムにおいて、前記整流器から前記負荷への給電線に前記組電池が放電する放電電路が第１の接続点において並列接続され、前記整流器が定格電流を出力しているときの、前記整流器から前記第１の接続点までの電圧降下を第１の電圧降下とし、前記組電池から前記第１の接続点までの電圧降下の最小値を第２の電圧降下とするとき、前記整流器出力電圧から前記第１の電圧降下を差し引いた電圧が、前記組電池電圧から前記第２の電圧降下を差し引いた電圧より大きいことを特徴とする電源システムを構成する。
【００１８】
また、本発明においては、請求項２に記載のように、
請求項１に記載の電源システムにおいて、前記放電電路は、放電方向にのみ電力を通す第１のダイオードを有することを特徴とする電源システムを構成する。
【００１９】
また、本発明においては、請求項３に記載のように、
請求項１に記載の電源システムにおいて、前記放電電路は、前記第１の接続点へ、前記整流器出力電圧から前記第１の電圧降下を差し引いた電圧よりも低い電圧の電力を出力する放電用ＤＣ／ＤＣコンバータを有することを特徴とする電源システムを構成する。
【００２０】
また、本発明においては、請求項４に記載のように、
請求項１、２または３に記載の電源システムにおいて、前記電池は二次電池であり、前記整流器は前記組電池の充電も行い、前記整流器から前記負荷への給電線に前記組電池を充電する充電電路が第２の接続点において並列接続され、前記充電電路は充電方向にのみ電力を通す第２のダイオードまたは充電用ＤＣ／ＤＣコンバータを有することを特徴とする電源システムを構成する。
【００２１】
また、本発明においては、請求項５に記載のように、
請求項１、２または３に記載の電源システムにおいて、前記電池は二次電池であり、交流電力を直流電力に変換する充電用整流器を具備し、前記充電用整流器が前記組電池の充電を行うことを特徴とする電源システムを構成する。
【００２２】
また、本琵明においては、請求項６に記載のように、
請求項１、２または３に記載の電源システムにおいて、前記電池は二次電池であることを特徴とする電源システムを構成する。
【００２３】
また、本発明においては、請求項７に記載のように、
請求項４、５または６に記載の電源システムにおいて、前記二次電池は鉛蓄電池、ニッケル水素蓄電池またはリチウムイオン蓄電池であることを特徴とする電源システムを構成する。
【発明の効果】
【００２４】
本発明の電源システムによれば、以下のごとき効果を奏することができる。
【００２５】
例えば、充電器によって充電を行うため、重負荷によって蓄電能力が低下することがなく、また、組電池出力電圧は、整流器の出力が定格出力以内である限りは、接続点において、整流器出力電圧より低くなるため、整流器が停止しない限り組電池は放電せず、負荷変動によって充放電を繰り返すことがない電源システムを提供することが可能となり、重負荷による蓄電能力の低下を回避し、かつ電池寿命を延伸する電源システムを提供することが可能となる。
【発明を実施するための最良の形態】
【００２６】
本発明に係る電源システムにおいては、例えば、充電用整流器あるいはＤＣ／ＤＣコンバータを介して組電池の充電を行う。また、例えば、放電用ダイオードあるいはＤＣ／ＤＣコンバータを組電池出力に備え、負荷給電用整流器から負荷への給電線との接続点における放電用ダイオードあるいはＤＣ／ＤＣコンバータの出力電圧が負荷給電用整流器の出力電圧より低くなるようにする。そのために、例えば、負荷給電用整流器が最大電流を出力しているときの、負荷給電用整流器から接続点までの電圧降下を第１の電圧降下とし、組電池から接続点までの電圧降下を第２の電圧降下とするとき、負荷給電用整流器出力電圧から第１の電圧降下を差し引いた電圧値が、組電池出力電圧から第２の電圧降下を差し引いた電圧値より大きいことを特徴とする電源システムを構成する。
【００２７】
以下に、本発明の実施の形態について、組電池が鉛蓄電池、ニッケル水素蓄電池、リチウムイオン蓄電池である場合を例として説明するが、本発明はこれらに限られるものではない。
【００２８】
＜実施の形態例１＞
図１は、本発明の実施の形態例を説明する図である。図１において、鉛蓄電池セル（単セル２．０Ｖ、１０００Ａｈ）を２４セル直列接続して組電池３を構成する。整流器２は、商用電源１から入力される交流電力を直流電力に変換して直流４９Ｖ、定格出力１００Ａを出力し、その出力によって負荷４への給電および組電池３の充電を行う。
【００２９】
組電池３の充電電路と放電電路が別個に配線され、充電電路は、充電方向にのみ電力を通す第２のダイオードであるダイオード５ｂを有し、放電電路は、放電方向にのみ電力を通す第１のダイオードであるダイオード５ａを有している。整流器２の出力と組電池３のダイオード５ａを介した出力とは、第１の接続点である接続点６において並列接続されて負荷４へと出力される。
【００３０】
ダイオード５ａと５ｂは、少なくとも１Ｖを降圧する性能を持つ。よって、通常時（商用電源受電時）においては、組電池３は、その電圧が、整流器２の出力電圧からダイオード５ｂの電圧降下を差し引いた４８Ｖに達するまで充電され、そこで充電が停止する。
【００３１】
商用電源１が停電すると、整流器２の出力電圧が低下するため、組電池３から負荷４への放電が行われるが、ダイオード５ａの電圧降下により、ダイオード５ａを介した組電池３の出力電圧は最大でも４７Ｖである。この場合に、組電池３から第１の接続点である接続点６までの電圧降下の最小値である第２の電圧降下は１Ｖである。そして、接続点６において、組電池３から出力される電圧は最大４７Ｖである。この電圧（４７Ｖ）は、組電池３の電池電圧から第２の電圧降下を差し引いた電圧の最大値である。
【００３２】
ここで、整流器２が定格出力である１００Ａを出力するときの整流器２から接続点６までの電圧降下、すなわち第１の電圧降下が２Ｖより小さくなるように、整流器２から接続点６までの配線を選定する。このようにすれば、商用電源１が有効であるときは、整流器２の出力電圧（４９Ｖ）から第１の電圧降下（２Ｖよりも小）を差し引いた電圧（４７Ｖよりも大）が、組電池３の電圧から第２の電圧降下を差し引いた電圧（最大４７Ｖ）より大きくなり、接続点６において、整流器２の出力電圧は組電池３からダイオード５ａを介した出力電圧よりも必ず高くなるため、整流器２の出力が定格出力以内である限りは、組電池３からの放電は起こらない。配線の電圧降下は、配線抵抗と電流の積により求められるから、例えば整流器２の定格出力電流と電圧降下の制限値をもとに、配線の材質、線径、長さを決定すればよい。すなわち、第１の電圧降下が２Ｖより小さくなるようにするには、配線抵抗をＲＬとして、ＲＬ×１００Ａ＜２Ｖが成り立つようにすればよい。ただし、これは、整流器２の出力側内部抵抗を無視した場合であって、整流器２の出力側内部抵抗ＲＯＵＴが無視できない場合には、（ＲＯＵＴ＋ＲＬ）×１００Ａ＜２Ｖが成り立つようにしなければならない。
【００３３】
このように、商用給電中に整流器２の出力変動（定格出力以内）があっても組電池３が放電することはないため、充放電サイクルによる電池の劣化を防止することが可能となる。
【００３４】
本実施の形態例では、ダイオード５ａと５ｂの電圧降下を同じ１Ｖとしているが、組電池３のダイオード５ａを介した出力電圧が、接続点６において整流器２の出力電圧より低い値であればダイオード５ａ、５ｂの電圧降下の値は異なる値であっても構わない。
【００３５】
＜実施の形態例２＞
図２は、本発明の実施の形態例を説明する図である。図２において、ニッケル水素蓄電池セル（単セル１．２Ｖ、１００Ａｈ）を４０セル直列接続して組電池３を構成する。整流器２は、商用電源１から入力される交流電力を直流電力に変換して直流５２Ｖ、定格出力１００Ａを出力し、その出力によって負荷４への給電および充電器８を介しての組電池３の充電を行う。組電池３の充電電路と放電電路が別個に配線され、充電電路には充電器８が設けられ、放電電路には放電器７が設けられている。
【００３６】
整流器２の出力と放電器７の出力とは、第１の接続点である接続点６において並列接続されて負荷４へと出力される。
【００３７】
充電電路は、第２の接続点である接続点６’において、整流器２から負荷４への給電線に並列接続され、充電器８は、組電池３の蓄電容量の低下を検知して商用給電時に充電を開始し、２０Ａ一定電流により組電池３を充電し、満充電を判断して充電を停止する。組電池３の満充電電圧は最大６４Ｖに達するため、電圧が不足するときは充電器８が具備する充電用ＤＣ／ＤＣコンバータにより整流器２の出力電圧を昇圧して充電を行う。
【００３８】
放電器７は放電用ＤＣ／ＤＣコンバータを有し、それによって、出力電圧が５０Ｖを超えることのないように降圧する機能を有する。そこで、組電池３の電池電圧から第２の電圧降下を差し引いた電圧は５０Ｖ以下となる。
【００３９】
ここで、整流器２が定格出力である１００Ａを出力するときの整流器２から接続点６までの電圧降下（第１の電圧降下）が２Ｖより小さくなるように、整流器２から接続点６までの配線を選定する。このようにすれば、商用電源１が有効であるときは、放電用ＤＣ／ＤＣコンバータは、整流器２の出力電圧（５２Ｖ）から第１の電圧降下（２Ｖよりも小）を差し引いた電圧（５０Ｖよりも大）よりも低い電圧、すなわち、組電池３の電池電圧から第２の電圧降下を差し引いた電圧である５０Ｖ以下を出力することになり、接続点６において、整流器２の出力電圧は放電器７の出力電圧よりも必ず高くなるため、整流器２の出力が定格出力以内である限りは組電池３からの放電は起こらない。配線の電圧降下は、配線抵抗と電流の積により求められるから、例えば整流器２の定格出力電流と電圧降下の制限値をもとに、配線の材質、線径、長さを決定すればよい。すなわち、第１の電圧降下が２Ｖより小さくなるようにするには、配線抵抗をＲＬとして、ＲＬ×１００Ａ＜２Ｖが成り立つようにすればよい。ただし、これは、整流器２の出力側内部抵抗を無視した場合であって、整流器２の出力側内部抵抗ＲＯＵＴが無視できない場合には、（ＲＯＵＴ＋ＲＬ）×１００Ａ＜２Ｖが成り立つようにしなければならない。
【００４０】
このように、商用給電中に整流器２の出力変動（定格出力以内）があっても組電池３が放電することはないため、充放電サイクルによる電池の劣化を防止することが可能となる。また、組電池３の充電は充電器８により行うため、充電器８の入力電圧が負荷増により低下しても昇圧して充電し、組電池３の蓄電能力を有効に利用することが可能となる。
【００４１】
＜実施の形態例３＞
図３は、本発明の実施の形態例を説明する図である。図３において、リチウムイオン蓄電池セル（単セル４．０Ｖ、８０Ａｈ）を１２セル直列接続して組電池３を構成する。整流器２は、商用電源１から入力される交流電力を直流電力に変換して直流４９Ｖ、定格出力１００Ａを出力し、負荷４への給電を行う。
【００４２】
充電用整流器９は、商用電源１から入力される交流電力を直流電力に変換して直流４８Ｖを出力し、組電池３の充電を行い、組電池３の電圧が出力電圧４８Ｖに達して充電が停止する。組電池３が出力する電力は、放電方向にのみ電力を通すダイオード５ａを介して接続点６へ接続される。整流器２の出力と組電池３のダイオード５ａを介した出力は、接続点６において並列接続されて負荷４へと出力される。ダイオード５ａは、少なくとも１Ｖを降圧する性能を持つ。
【００４３】
商用電源１が停電すると整流器２の出力電圧が低下するため、組電池３から負荷４への放電が行われるが、ダイオード５ａの電圧降下により、ダイオード５ａを介した組電池３の出力電圧は最大でも４７Ｖである。つまり、接続点６において、組電池３から出力される電圧は最大４７Ｖである。この電圧（４７Ｖ）は、組電池３の電池電圧から第２の電圧降下を差し引いた電圧の最大値である。
【００４４】
ここで、整流器２が定格出力である１００Ａを出力するときの整流器２から接続点６までの電圧降下、すなわち第１の電圧降下が２Ｖより小さくなるように、整流器２から接続点６までの配線を選定する。このようにすれば、商用電源１が有効であるときは、整流器２の出力電圧（４９Ｖ）から第１の電圧降下（２Ｖよりも小）を差し引いた電圧（４７Ｖよりも大）が、組電池３の電圧から第２の電圧降下を差し引いた電圧（最大４７Ｖ）より大きくなり、接続点６において、整流器２の出力電圧は組電池３からダイオード５ａを介した出力電圧よりも必ず高くなるため、整流器２の出力が定格出力以内である限りは、組電池３からの放電は起こらない。配線の電圧降下は、配線抵抗と電流の積により求められるから、例えば整流器２の定格出力電流と電圧降下の制限値をもとに、配線の材質、線径、長さを決定すればよい。すなわち、第１の電圧降下が２Ｖより小さくなるようにするには、配線抵抗をＲＬとして、ＲＬ×１００Ａ＜２Ｖが成り立つようにすればよい。ただし、これは、整流器２の出力側内部抵抗を無視した場合であって、整流器２の出力側内部抵抗ＲＯＵＴが無視できない場合には、（ＲＯＵＴ＋ＲＬ）×１００Ａ＜２Ｖが成り立つようにしなければならない。
【００４５】
このように、商用給電中に整流器２の出力変動（定格出力以内）があっても組電池３が放電することはないため、充放電サイクルによる電池の劣化を防止することが可能となる。また、組電池３の充電は充電用整流器９により行うため、整流器２の出力に関係なく、組電池３の蓄電能力を有効に利用することが可能となる。
【００４６】
本発明に係る電源システムの特徴は、例えば、充電用整流器あるいは充電用ＤＣ／ＤＣコンバータを介して組電池の充電を行い、放電用ダイオードあるいは放電用ＤＣ／ＤＣコンバータを組電池出力に備え、負荷給電用整流器から負荷への給電線との接続点における放電用ダイオードあるいはＤＣ／ＤＣコンバータの出力電圧が負荷給電用整流器の出力電圧より低くなるようにすることである。
【００４７】
この特徴によって、例えば、充電用整流器あるいは充電用ＤＣ／ＤＣコンバータを介して組電池の充電を行うため、重負荷によって蓄電能力が低下することがなく、また、組電池出力電圧は第１の接続点において整流器出力電圧より低くなるため、整流器が停止しない限り組電池は放電せず、負荷変動によって充放電を繰り返すことがない電源システムを提供することが可能となる。
【００４８】
以上、本発明の実施の形態について、電池が鉛蓄電池、ニッケル水素蓄電池あるいはリチウムイオン蓄電池である場合を例として説明したが、本発明はこれに限られるものではない。
【００４９】
以下に、本発明によって生じる効果について説明する。
【００５０】
（１）整流器が負荷への給電と組電池の充電を両方行う場合、負荷の所要電流が大きいことによって、組電池の満充電電圧が低下し、組電池の蓄電能力が低下するという問題が発生する。
【００５１】
本発明により、例えばＤＣ／ＤＣコンバータを備えた充電器によって充電を行うため、重負荷によって蓄電能力が低下することがない電源システムを提供することが可能となる。
【００５２】
（２）整流器が負荷への給電と組電池の充電を両方行う場合、負荷が変動することによって、組電池が充電と放電を繰り返すことになり、充放電サイクルの増加が電池寿命の縮減を招くという問題が発生する。
【００５３】
本発明により、組電池出力電圧は接続点において整流器出力電圧より低くなるため、整流器が停止しない限り組電池は放電せず、負荷変動によって充放電を繰り返すことがない電源システムを提供することが可能となる。
【図面の簡単な説明】
【００５４】
【図１】本発明の実施の形態例を説明する図である。
【図２】本発明の実施の形態例を説明する図である。
【図３】本発明の実施の形態例を説明する図である。
【図４】整流器が負荷への給電と組電池の充電との両方を行う電源システムの構成図である。
【符号の説明】
【００５５】
１：商用電源、２：整流器、３：組電池、４：負荷、５ａ、５ｂ：ダイオード、６、６’：接続点、７：放電器、８：充電器、９：充電用整流器。
【図１】
2008301648.tif 000003
【図２】
2008301648.tif 000004
【図３】
2008301648.tif 000005
【図４】
2008301648.tif 000006